(57)【特許請求の範囲】
【請求項１】
開口部となる枠に網が取り付けられて構成され前記開口部から魚を取り込むための魚受け部と、
前記枠の先端側に一端が取り付けられた引き紐と、
前記枠の基端側が先端に取り付けられた棒状の支持部材と、を備え、
前記支持部材が、釣り糸を挿通可能な釣り糸案内手段と、
前記支持部材の先端に設けられ該支持部材の延在方向に対して垂直な方向を回動軸として前記枠を回動可能に取り付けた連結部と、を有していることを特徴とする魚釣り用捕獲器。
【請求項２】
請求項１に記載の魚釣り用捕獲器において、
前記釣り糸案内手段が、開閉可能なリングであることを特徴とする魚釣り用捕獲器。
【請求項３】
請求項１又は２に記載の魚釣り用捕獲器において、
前記引き紐を途中部分で保持すると共に前記引き紐が一定の力以上で引かれたときに外れる引き紐保持手段が、前記支持部材に設けられていることを特徴とする魚釣り用捕獲器。
【請求項４】
請求項３に記載の魚釣り用捕獲器において、
前記引き紐保持手段が、互いに前記引き紐の太さよりも狭い間隔で略平行に前記支持部材に立設された一対の保持棒部であって、前記一対の保持棒部の間に前記引き紐を挟んで保持可能であることを特徴とする魚釣り用捕獲器。
【請求項５】
請求項１から４のいずれか一項に記載の魚釣り用捕獲器において、
前記連結部には前記枠が着脱可能に螺合されていることを特徴とする魚釣り用捕獲器。
【発明の詳細な説明】
【技術分野】
【０００１】
本発明は、魚釣りにおいて釣竿で釣った魚を捕獲するための魚釣り用捕獲器に関する。
【背景技術】
【０００２】
一般に、魚釣りにおいて釣り針にかかった魚を捕獲する際に、柄の付いた玉網を用いることが多い。この玉網は、その柄の長さが使用目的に応じて設定されていたり、長さ調節ができるものも種々販売されている。ところで、磯釣りにあっては、水面までかなりの距離がある高い崖の上から魚を捕獲しなければならないことも多い。この場合、一般的な玉網を使用することは不可能であるため、代わりに落とし玉網と称される玉網が用いられることがある。
【０００３】
従来の落とし玉網は、網に紐をつけただけの構造であるため、腕の長さの距離しか水面上に差し出せない。そこで、特許文献１および特許文献２に記載されているような、釣り糸に沿って下降させるびく形式の落とし玉網が知られている。
【先行技術文献】
【特許文献】
【０００４】
【特許文献１】特開昭５９−２３２０４２号公報
【特許文献２】特開平７−５９４８９号公報
【発明の概要】
【発明が解決しようとする課題】
【０００５】
しかし、従来の落とし玉網では、遠くで釣れた魚を捕獲するのに不便であり、また操作には熟練が必要であるという問題があった。
また、特許文献１及び特許文献２に記載されているびく形式の落とし玉網では、磯釣りの竿が非常に長いため、竿にびくの網を通すのが困難であり、操作性が良くないという不都合があった。また、長い竿を短くして竿にびくの網を通そうとしても、竿を短くすることで竿の弾力性が失われ、その結果として竿が折れる又は釣り糸が切れるため、取扱いが難しいという問題があった。
【０００６】
そこで、本発明は、当該課題に鑑みてなされたもので、操作が簡単でかつ取扱いが容易な魚釣り用捕獲器を提供することを目的とする。
【課題を解決するための手段】
【０００７】
前記課題を解決するために、本発明に係る魚釣り用捕獲器は、開口部となる枠に網が取り付けられて構成され前記開口部から魚を取り込むための魚受け部と、前記枠の先端側に一端が取り付けられた引き紐と、前記枠の基端側が先端に取り付けられた棒状の支持部材と、を備え、前記支持部材が、釣り糸を挿通可能な釣り糸案内手段と、前記支持部材の先端に設けられ該支持部材の延在方向に対して垂直な方向を回動軸として前記枠を回動可能に取り付けた連結部と、を有していることを特徴とする。
【０００８】
すなわち、本発明の魚釣り用捕獲器では、支持部材が、釣り糸を挿通可能な釣り糸案内手段を備えているので、魚がかかった時に、釣り糸案内手段に釣り糸を挿通させて、引き紐の基端を釣り人が持ったまま魚受け部を先端側にして魚釣り用捕獲器を釣り糸に沿って、かかった魚のところまで下降させる。すなわち、釣り糸案内手段に釣り糸を通すことで、釣り糸が魚釣り用捕獲器を魚に到達させるためのガイドとなる。さらに、本発明の魚釣り用捕獲器では、支持部材が、支持部材の先端に設けられ該支持部材の延在方向に対して垂直な方向を回動軸として枠を回動可能に取り付けた連結部を有しているので、かかった魚を魚受け部の開口部に配した状態で引き紐を引っ張ることで、枠が連結部を中心に回動及び反転して、魚を魚受け部の網内に取り入れることができる。この状態で、引き紐をさらに引っ張って魚釣り用捕獲器と共に確実に魚を引き揚げることができる。
このように、使用の際、引き紐の基端を持ったまま魚釣り用捕獲器を釣り糸に沿って下降させ、かかった魚に到達したところで、引き紐を操作して魚受け部を反転させ、魚を魚受け部内に取り入れる簡単な操作で、釣った魚を容易に捕獲することができる。
【０００９】
また、本発明の魚釣り用捕獲器は、前記釣り糸案内手段が開閉可能なリングであることを特徴とする。
すなわち、この魚釣り用捕獲器では、釣り糸案内手段に開閉可能なリングを用いることで、釣り糸を釣り糸案内手段に通す操作を簡単に行うことができる。
【００１０】
また、本発明の魚釣り用捕獲器は、前記引き紐を途中部分で保持すると共に前記引き紐が一定の力以上で引かれたときに外れる引き紐保持手段が、前記支持部材に設けられていることを特徴とする。
すなわち、この魚釣り用捕獲器では、引き紐を途中部分で保持すると共に引き紐が一定の力以上で引かれたときに外れる引き紐保持手段を設けることで、魚釣り用捕獲器を魚に到達させるまでの間に引き紐が引っ張られて、不用意に魚受け部が回動及び反転してしまうことを防ぐことができる。また、魚が魚受け部の開口部に位置した際に、引き紐を一定の力以上で引くことで引き紐保持手段から外して、魚受け部を回動及び反転させることができる。
【００１１】
また、本発明の魚釣り用捕獲器は、前記引き紐保持手段が、互いに前記引き紐の太さよりも狭い間隔で略平行に前記支持部材に立設された一対の保持棒部であって、前記一対の保持棒部の間に前記引き紐を挟んで保持可能であることを特徴とする。
すなわち、この魚釣り用捕獲器では、一対の保持棒部の間に引き紐を挟んで保持可能であるので、一対の保持棒部に容易に引き紐を挟んで保持させることができると共に、魚の取り込みの際に一定の力以上で容易に一対の保持棒部から引き紐を外すことできる。
【００１２】
また、本発明の魚釣り用捕獲器は、前記連結部に前記枠が着脱可能に螺合されていることを特徴とする。
すなわち、この魚釣り用捕獲器では、魚受け部の枠を連結部に着脱可能にすることで、魚受け部を分離して捕獲器全体をコンパクトに持ち運ぶことができ、さらには、魚受け部を他の玉網の魚受け網と交換することもできる。
【発明の効果】
【００１３】
本発明によれば、以下の効果を奏する。
すなわち、本発明に係る魚釣り用捕獲器によれば、使用の際、引き紐の基端を持ったまま魚釣り用捕獲器を釣り糸に沿って下降させ、かかった魚に到達したところで、引き紐を操作して魚受け部を反転させ、魚を魚受け部内に取り入れることができる。したがって、釣り人と釣れた魚に距離や高低差がある場合であっても、予め魚受け部に取り付けられた引き紐を引くだけで容易に魚を網に取り込んで引き揚げることができ、熟練を要せず、操作が簡単である。
【図面の簡単な説明】
【００１４】
【図１】本発明の一実施形態に係る魚釣り用捕獲器を示す上面図（ａ）及び側面図（ｂ）である。
【図２】本発明の一実施形態に係る魚釣り用捕獲器において、魚受け部と支持部材との連結部を示す拡大図である。
【図３】本発明の一実施形態に係る魚釣り用捕獲器において、魚受け部を閉じた状態の上面図（ａ）及び側面図（ｂ）である。
【図４】本発明の一実施形態に係る魚釣り用捕獲器の使用説明図であり、魚を捕獲する前の状態を表す図である。
【図５】本発明の一実施形態に係る魚釣り用捕獲器の使用説明図であり、魚を捕獲した後の状態を表す図である。
【発明を実施するための形態】
【００１５】
以下、本発明に係る魚釣り用捕獲器の一実施形態を、図１から図５を参照しながら説明する。
【００１６】
図１の（ａ）は、本実施形態である魚釣り用捕獲器の上面図であり、図１の（ｂ）はその側面図である。
本実施形態の魚釣り用捕獲器１は、開口部となる枠６に網５が取り付けられて構成され開口部から魚を取り込むための魚受け部２と、枠６の先端側に一端が取り付けられた引き紐３と、枠６の基端側が先端に取り付けられた棒状の支持部材４と、を備えている。
【００１７】
また、上記支持部材４が、釣り糸１６を挿通可能な釣り糸案内手段と、支持部材４の先端に設けられ該支持部材４の延在方向に対して垂直な方向を回動軸として枠６を回動可能に取り付けた連結部７と、を有している。
さらに、魚釣り用捕獲器１では、引き紐３を途中部分で保持すると共に引き紐３が一定の力以上で引かれたときに外れる引き紐保持手段が、支持部材４に設けられている。
この引き紐保持手段は、互いに引き紐３の太さよりも狭い間隔で略平行に支持部材４に立設された一対の針金である保持棒部９であって、一対の保持棒部９の間に引き紐３を挟んで保持可能とされている。すなわち、一対の保持棒部９は、引き紐３を挟み込める弾性を有している。
【００１８】
上記魚受け部２は、例えばステンレス合金やチタン合金からなる金属製部材を環状に折り曲げて形成した枠６を、ナイロン繊維等からなる糸を網目状に編みこんでなる略円筒形の網５の開口縁に通して、網５を枠６に取り付けたものである。この枠６の一部（基端側）が連結部７に連結されている。
【００１９】
支持部材４は、例えばステンレス合金やチタン合金からなり、間隔をおいて配置した開閉可能なリング８ａおよび８ｂ、１組の保持棒部９、支持環１０を有している。これらの部材は、連結部７から手元側に向かって、リング８ａ、保持棒部９，リング８ｂ、支持環１０の順序で、支持部材４の同じ側面に配設されている。
【００２０】
開閉可能なリング８ａおよび８ｂは、釣り糸１６をその内側に通過させ、釣り糸を案内する上記釣り糸案内手段である。リング８ａおよび８ｂは、いわゆるカードリングと類似の構造を有している。カードリングに類似の構造とは、一端が連結された半円状の２つの部材で構成され、開いた位置及び閉じた位置の間で開閉可能に構成されているものをいう。開閉はばね等を用いて閉じる方向に付勢してもよいし、付勢をせずに閉じた位置で係止手段、例えば係止溝部及び係止突起によって閉じてもよい。また、リング８の形状は円形であってもよく、多角形であってもよいが、本実施例では円形を用いている。
【００２１】
本実施形態では、リング８ａおよび８ｂは２個配設されているが、リングは１個以上であればよく、例えば１個又は３個以上であってもよい。リング８ａは、リング支持部材１１によって支持部材４に取り付けられている。リング支持部材１１は、その一端が支持部材４に連結され、支持部材４から離れる方向に延長された後、網５の方向に突出している。魚受け部２が回動したとき、リング８ａは網５の内側に位置するように、支持部材４の長さが設定されている。リング８ａおよび８ｂの内寸は、浮きが通過できるように、使用する浮きが通過できる大きさを有している。
【００２２】
２本１組の保持棒部９は支持部材４から垂直に突出し、その間に引き紐３を挟持している。引き紐３は１組の保持棒部９に一定の力で挟持されているが、釣り人が引き紐３を一定の力で引くと、保持棒部９の間から外れるようになっている。この１組の保持棒部９は、魚釣り用捕獲器１を魚に到達させるまでの間に引き紐３がずれたり外れたりすることを防止する引き紐保持手段として機能する。本実施形態では保持棒部９は１組しか設けていないが、保持棒部９は必要に応じて複数組設けてもよい。引き紐３は、その一端が魚受け部２の枠６先端に取り付けられ、途中部分が複数の保持棒部９の間および支持環１０の内部を通り、もう一端が釣り人により保持される。
【００２３】
図２は、本実施形態の連結部７の拡大図である。この連結部７は、金属またはプラスチック部材であって、ナット１２と、ナット１２に一端を螺合された雄ネジ部材１３と、雄ネジ部材１３のもう一端に雄ネジ部材１３の軸方向に直交する方向に配置された回転軸１４とを有している。回転軸１４は、１個の雄ネジ、１個のナットおよび２個の座金により構成されている。
【００２４】
ナット１２の先端には魚受け部２の枠６が螺合されている。従って、魚受け部２は着脱が可能であり、支持部材４から分離してコンパクトに持ち運ぶことができる。また、市販の玉網で柄の部分と魚受け網が取り外し可能になっているもので、ネジサイズが合致していれば、当該魚受け網を魚受け部２として取り付けることができる。なお、本実施形態では、一般に販売されている玉網のネジサイズに対応させたナット１２としている。支持部材４の先端部は、環状に曲げられており、その環状部分の内側に回転軸１１を挿通させることによって、ナット１２およびその先に連結された魚受け部２が回動自在となっている。
【００２５】
図３の（ａ）は、魚釣り用捕獲器１の魚受け部２を閉じた状態の上面図であり、図３の（ｂ）は側面図である。
本実施形態の魚釣り用捕獲器１では、引き紐３を一定以上の力で引くことにより、引き紐３が保持棒部９の間から外れ、連結部７が回動し、魚受け部２が反転する。その際、先端のリング８ａが魚受け部２の内側に位置することにより、リング８ａまで引き寄せられた魚を網５内に取り込むことができる。また、支持部材４の長さは、魚受け部２の開口部の直径よりも長く設定されており、魚受け部２が回動した際にその開口部内に支持部材４が入ってしまうことを防いでいる。
【００２６】
次に、このように構成された魚釣り用捕獲器１の使用方法について、図４及び図５を参照して、より詳細に説明する。
【００２７】
図４に示すように、魚１５が釣り針にかかったところで、リング８ａおよび８ｂ内に釣り糸１６を通す。このとき、リング８ａおよび８ｂを開き、釣り糸１６を内側に配置した後、リング８ａおよび８ｂを閉じる。すなわち、リング８ａおよび８ｂを開閉自在に構成しているので、その内側に釣り糸１６を容易に通すことができる。
【００２８】
続いて、釣り糸１６をガイドにして、魚釣り用捕獲器１をかかった魚１５まで下降させる。なお、魚釣り用捕獲器１が魚１５に到達するまでに魚受け部２が反転してしまうことを防止するために、引き紐３の途中部分が一組の保持棒部９によって保持されている。そして、魚釣り用捕獲器１が下降し、支持部材４先端側のリング８ａが魚１５に接触すると、その下降が停止する。
【００２９】
魚１５に魚釣り用捕獲器１が到達し、魚受け部２の開口部に位置したところで、釣り人が一定以上の力で引き紐３を引くと、図５に示すように、引き紐３が保持棒部９の間から外れ、魚受け部２が連結部７を中心に１８０度回転する。すなわち、魚受け部２が下方から上方に反転する。魚受け部２が反転すると、リング８ａ付近に位置していた魚１５は、魚受け部２の開口部から網５内に取り込まれる。続いて、釣り人は引き紐３を引き続け、魚釣り用捕獲器１を手元まで引き上げることによって魚１５を捕獲することができる。
【００３０】
このように本実施形態の魚釣り用捕獲器１では、支持部材４が、釣り糸１６を挿通可能な釣り糸案内手段としてリング８ａおよび８ｂを備えているので、魚１５がかかった時に、リング８ａおよび８ｂに釣り糸１６を挿通させて、引き紐３の基端を釣り人が持ったまま魚釣り用捕獲器１を釣り糸１６に沿って、かかった魚１５のところまで下降させる。すなわち、リング８ａおよび８ｂに釣り糸１６を通すことで、釣り糸１６が魚釣り用捕獲器１を魚１５に到達させるためのガイドとなる。
【００３１】
さらに、支持部材４が、その延在方向に対して垂直な方向を回動軸として枠６を回動可能に取り付けた連結部７を有しているので、かかった魚１５を魚受け部２の開口部に配した状態で引き紐３を引っ張ることで、連結部７を中心に枠６を回動及び反転して、魚１５を魚受け部２の網５内に取り入れることができる。この状態で、引き紐３をさらに引っ張って魚釣り用捕獲器１と共に確実に魚１５を引き揚げることができる。
【００３２】
このように、使用の際、引き紐３の基端を持ったまま魚釣り用捕獲器１を釣り糸１６に沿って下降させ、かかった魚１５に到達したところで、引き紐３を操作して魚受け部２を反転させ、魚１５を魚受け部２内に取り入れる簡単な操作で、釣った魚１５を容易に捕獲することができる。
【００３３】
また、釣り糸案内手段に開閉可能なリング８ａおよび８ｂを用いることで、釣り糸１６を釣り糸案内手段に通す操作を簡単に行うことができる。
さらに、引き紐３を途中部分で保持すると共に引き紐３が一定の力以上で引かれたときに外れる引き紐保持手段として少なくとも一対の保持棒部９を設けることで、魚釣り用捕獲器１を魚１５に到達させるまでの間に引き紐３が引っ張られて、不用意に魚受け部２が回動及び反転してしまうことを防ぐことができる。また、魚１５が魚受け部２の開口部に位置した際に、引き紐３を一定の力以上で引くことで引き紐保持手段から外して、魚受け部２を回動及び反転させることができる。
また、魚受け部２の枠６を連結部７に着脱可能にすることで、魚受け部２を分離して捕獲器全体をコンパクトに持ち運ぶことができ、さらには、魚受け部２を他の玉網の魚受け網と交換することもできる。
【００３４】
以上に説明したように、本発明によれば、回動自在にした網５を有する魚受け部２を釣り糸１６をガイドにして下降させ、釣った魚１５に到達したところで魚受け部２を回動させる機構により、釣り針にかかった魚１５を容易かつ確実に捕獲し、結果として釣り落としを防止することができる。
【産業上の利用可能性】
【００３５】
本発明は釣竿で釣れた魚を容易な操作により捕獲することが可能な魚釣り用捕獲器を提供する。
【符号の説明】
【００３６】
１…魚釣り用捕獲器、２…魚受け部、３…引き紐、４…支持部材、５…網、６…枠、７…連結部、８ａ，８ｂ…リング（釣り糸案内手段）、９…保持棒部（引き紐保持手段）、１０…支持環、１１…リング支持部材、１２…ナット、１３…雄ネジ部材、１４…回転軸、１５…魚、１６…釣り糸
【図１】
0005475365.tif 000002
【図２】
0005475365.tif 000003
【図３】
0005475365.tif 000004
【図４】
0005475365.tif 000005
【図５】
0005475365.tif 000006